(57)【要約】【課題】  押圧操作部材の押圧操作及び該操作の解除に伴う空洞部の空気の出入りを、コスト安な構造で実現する。【解決手段】  弾性材から成る押圧操作部材１２が、位置決め脚部２０を有し、それを基板１１の位置決め孔１４に挿入することにより位置決めして基板１１の一面に配置され、該基板１１の一面との間に空洞部２２を形成するものにおいて、基板１１の一面に面する押圧操作部材１２の裏面から位置決め脚部２０に、溝（空気通路）２１を形成した。これにより、押圧操作部材１２の押圧操作及び該操作の解除に伴う空洞部２２の空気の出入りを、基板１１に対する押圧操作部材１２の位置決め構造を利用することで、基板１１に特別に空気穴を形成することなく、行わしめることができる。【選択図】  図１
2005322467.tif 000002
【特許請求の範囲】
【請求項１】
位置決め孔を有する基板と、
この基板の一面に設けられた固定接点と、
位置決め脚部を有し、この位置決め脚部を前記位置決め孔に挿入することにより位置決めして前記基板の一面に配置され、該基板の一面との間に空洞部を形成した、弾性材から成る押圧操作部材と、
この押圧操作部材の前記空洞部に面する箇所に設けられ、該押圧操作部材が押圧操作されたときに前記固定接点と接する可動接点とを具備し、
前記基板の一面に面する前記押圧操作部材の裏面から前記位置決め脚部に、前記空洞部から前記基板の一面とは反対側の面に開通する空気通路を形成したことを特徴とする押圧スイッチ。
【発明の詳細な説明】
【技術分野】
【０００１】
本発明は、空気が出入りする構造を改良した押圧スイッチに関する。
【背景技術】
【０００２】
従来より、この種の押圧スイッチは、図８に示すように、固定接点１を設けた基板２の一面に、ゴムなど弾性材から成る押圧操作部材３が空洞部４を隔てて設けられ、この押圧操作部材３がその空洞部４に面する箇所に可動接点５を有する構成にて、押圧操作部材３を矢印Ａで示すように押圧操作することにより、可動接点５が固定接点１に接触するようになっている。
【０００３】
しかして、このものにおいては、押圧操作部材３を押圧操作したとき、空洞部４内の空気が抜け出ないと、それによる抵抗で押圧操作部材３を容易に押圧操作することができず、固定接点１に可動接点５を容易に接触させることができない。又、空気が抜け出た空洞部４内には空気が戻らないと、押圧操作部材３の復元が迅速に行われず、固定接点１から可動接点５が迅速に離間しない。
【０００４】
このため、基板２に空気抜き孔６が設けられ、上記押圧操作部材３を押圧操作したときの空洞部４からの空気の抜け出、及び押圧操作部材３が押圧操作を解除されて復元するときの空洞部４への空気の戻りを、その空気抜き孔６を通じて行うようになっている。
【特許文献１】特開２００１−７６５８６号公報
【発明の開示】
【発明が解決しようとする課題】
【０００５】
しかしながら、このものでは、空洞部４の空気の出入りをさせるためとはいえど、基板２に特別に空気抜き穴６を形成する必要があり、その分、基板２がコスト高となり、ひいては押圧スイッチ全体としてコスト高となっていた。
【０００６】
本発明は上述の事情に鑑みてなされたものであり、従ってその目的は、押圧操作部材の押圧操作及び該操作の解除に伴う空洞部の空気の出入りを、コスト安な構造で実現し得る押圧スイッチを提供するにある。
【課題を解決するための手段】
【０００７】
上記目的を達成するために、本発明の押圧スイッチは、位置決め孔を有する基板と、この基板の一面に設けられた固定接点と、位置決め脚部を有し、この位置決め脚部を前記位置決め孔に挿入することにより位置決めして前記基板の一面に配置され、該基板の一面との間に空洞部を形成した、弾性材から成る押圧操作部材と、この押圧操作部材の前記空洞部に面する箇所に設けられ、該押圧操作部材が押圧操作されたときに前記固定接点と接する可動接点とを具備し、前記基板の一面に面する前記押圧操作部材の裏面から前記位置決め脚部に、前記空洞部から前記基板の一面とは反対側の面に開通する空気通路を形成したことを特徴とする。
【発明の効果】
【０００８】
上記手段によれば、押圧操作部材の押圧操作及び該操作の解除に伴う空洞部の空気の出入りを、基板に対する押圧操作部材の位置決め構造を利用することで、基板に特別に空気穴を形成することなく、行わしめることができる。よって、コスト安な構造で実現し得る。
【発明を実施するための最良の形態】
【０００９】
以下、本発明の第１実施例（第１の実施形態）につき、図１ないし図４を参照して説明する。
まず、図２には、押圧スイッチの全容を平面図で示しており、基板１１の一面である上面に、押圧操作部材１２を配置している。
【００１０】
基板１１は、単なる絶縁板であっても良いが、この場合、回路基板から成っており、その上面（一面）には、図１に示す一対の固定接点１３を、他の回路パターン（図示省略）と共に設けている。又、この基板１１には、上面から下面へ抜ける位置決め孔１４を、上記固定接点１３を挟む例えば２箇所に形成している。
そのほか、基板１１には、必要な電子部品（図示省略）を実装しており、図２には、前記回路パターンのランドに対する電子部品のリードの接続をした半田付け部１５を示している。
【００１１】
一方、押圧操作部材１２は、ゴムなど弾性材により形成したもので、矩形のシート状基部１６の中央部の上方に、図１に示す切頭円錐形の操作主部１７を隆起させて有しており、該操作主部１７の下側は凹部１８となっている。又、その凹部１８の内上部には、下方へ突出する凸部１８ａを形成していて、この凸部１８ａの下面に、前記固定接点１３と対応する可動接点１９を設けている。更に、基部１６の図２に示す対角コーナー部の下面には、それぞれ位置決め脚部２０を突設している。そして、図１、図３及び図４に示すように、基部１６の下面から位置決め脚部２０の各内側部には、凹部１８内から位置決め脚部２０の先方に開通する溝２１を形成している。
【００１２】
しかして、前記基板１１の位置決め孔１４には、押圧操作部材１２の位置決め脚部２０を挿入し、これによって、可動接点１９が固定接点１３に対向する位置に押圧操作部材１２を位置決めし、この位置決め状態で、基板１１の上面（一面）に押圧操作部材１２を配置固定している。
【００１３】
この結果、基板１１の上面と押圧操作部材１２との間には、押圧操作部材１２の前記凹部１８による空洞部２２が形成され、押圧操作部材１２の前記可動接点１９を設けた凸部１８ａの下面が、該空洞部２２に面する箇所となっている。又、押圧操作部材１２の基部１６における前記溝２１を形成した下面は、裏面であり、基板１１の上面に面している。
【００１４】
さて、上述のごとく構成したものの場合、押圧操作部材１２、特にこれの操作主部１７を図１に矢印Ａで示すように上方より押圧すると、押圧操作部材１２のその操作主部１７から基部１６までの間の薄肉な部分２３がたわんで、可動接点１９が固定接点１３に接触し、該固定接点１３を橋絡する。
【００１５】
このとき、上記押圧操作部材１２の操作主部１７から基部１６までの間の薄肉な部分２３がたわむのに伴い、空洞部２２内からは空気が押圧操作部材１２の溝２１を通じて基板１１の下面（一面とは反対側の面）に抜け出す。これによって、押圧操作部材１２を容易に押圧操作することができ、可動接点１９を固定接点１３に容易に接触させることができる。
【００１６】
又、押圧操作部材１２の上記押圧操作を解除すると、押圧操作部材１２の操作主部１７から基部１６までの間の薄肉な部分２３が復元して、可動接点１９を固定接点１３から離間させる。
このとき、押圧操作部材１２の操作主部１７から基部１６までの間の薄肉な部分２３が復元するのに伴い、空洞部２２内へは、基板１１の下面から空気が押圧操作部材１２の溝２１を通じて戻り入る。これによって、押圧操作部材１２の復元を速やかに行なわせることができ、可動接点１９を固定接点１３から迅速に離間させることができる。
【００１７】
かくして、押圧操作部材１２の溝２１は、押圧操作部材１２の押圧操作及び該操作の解除に伴う空洞部の空気の出入りをなさしめる空気通路として機能する。
しかして、その空気通路（溝２１）は、本構成のものの場合、基板１１の一面に面する押圧操作部材１２の基部１６における裏面から、基板１１に対する押圧操作部材１２の位置決めをする位置決め脚部２０に形成しており、従って、その基板１１に対する押圧操作部材１２の位置決め構造を利用して必要な空気の出入りを行わしめ得、基板１１に従来のもののよう空気穴を特別に形成することなくできるので、コスト安な構造で実現することができる。
【００１８】
以上に対して、図５は本発明の第２実施例を示すもので、押圧操作部材１２の位置決め脚部２０の内側部をそれのみ平坦にして空気通路３１を形成したものである。
図６は本発明の第３実施例を示すもので、押圧操作部材１２の位置決め脚部２０を断面多角形（図示例は四角形）にして空気通路４１を形成したものである。
図７は本発明の第４実施例を示すもので、押圧操作部材１２の位置決め脚部２０を断面Ｘ形して空気通路５１を形成したものである。
【００１９】
これらのそれ以外の点は第１実施例と同様であり、それぞれ、空気通路３１，４１，５１を通じて空気が出入りするから、第１実施例同様の作用効果を得ることができる。
このほか、本発明は上記し且つ図面に示した実施例にのみ限定されるものではなく、要旨を逸脱しない範囲内で適宜変更して実施し得る。
【図面の簡単な説明】
【００２０】
【図１】本発明の第１実施例を示す、図２のＸ−Ｘ線に沿う押圧スイッチ部分の縦断面図
【図２】押圧スイッチ部分の平面図
【図３】押圧操作部材単体の拡大下面図
【図４】図１のＹ−Ｙ線に沿う一部の拡大横断面図
【図５】本発明の第２実施例を示す図４相当図
【図６】本発明の第３実施例を示す図４相当図
【図７】本発明の第４実施例を示す図４相当図
【図８】従来例を示す図１相当図
【符号の説明】
【００２１】
図面中、１１は基板、１２は押圧操作部材、１３は固定接点、１４は位置決め孔、１９は可動接点、２０は位置決め脚部、２１は溝（空気通路）、２２は空洞部、３１，４１，５１は空気通路を示す。
【図１】
2005322467.tif 000003
【図２】
2005322467.tif 000004
【図３】
2005322467.tif 000005
【図４】
2005322467.tif 000006
【図５】
2005322467.tif 000007
【図６】
2005322467.tif 000008
【図７】
2005322467.tif 000009
【図８】
2005322467.tif 000010